(57)【要約】      （修正有）【課題】被介護者の排泄物またはおしめ交換など臭気を伴う介護作業に於いて、周囲の目視を遮蔽することと臭気の拡散を防止するための覆い具を設置すると共に、作業箇所の明るさを維持できる構造の介護用具を提供する。【解決手段】被介護者の介護箇所の上側に立体形状の枠体を配置し、その上に繊維生布２又は樹脂製布を用いた覆い具１を被せる。前記枠体の上面部に接する箇所と採光を目的とした部分を含めて切り抜いて窓状空白部を設けるとともに、該窓状空白部に透明樹脂シート３ｂ等を装着し、作業箇所を目視可能とするほか、前記透明樹脂シートから室内の明かりを採光し覆い具内部の明るさを確保する。樹脂製布を用いた覆い具１は通気性が無く臭気拡散防止には好適であり、軽量で洗浄も容易である。覆い具内部の空間に消臭剤を設置するか散布して臭気を除去する。前記透明樹脂シート部には介護者の手と腕を挿入するための挿通孔５を設ける。【選択図】図３
0003177089.tif 000002
【実用新案登録請求の範囲】
【請求項１】
病床に伏している被介護者の排泄物の除去またはおしめなどの下着を交換する介護作業に用いる用具であって、
立体形状を有する枠体を介護箇所の上側に設置し、
前記枠体に被介護者を覆う繊維生布及び樹脂製布またはいずれか片方を取着して介護箇所に空間部を設けると共に臭気の拡散を防止し、
前記繊維生布及び樹脂製布またはいずれか片方の中央部に所定サイズの透明樹脂シートを配置するため、配置される部分の前記繊維生布及び樹脂製布またはいずれか片方に窓状空白部分を形成し、
該窓状空白部分に前記透明樹脂シートを挿置してその周縁部を接着、縫合またはファスナー等の接合手段により前記窓状空白部分の縁部に密着固定し、
前記枠体に取着した繊維生布及び樹脂製布またはいずれか片方の上部及び側部またはいずれか片方に介護者の手と腕を挿入する挿入孔を設けたことを特徴とする介護用具。
【請求項２】
前記挿入孔に介護者の手及び腕を挿入する手袋及び腕袋を取着した請求項１に記載の介護用具。
【請求項３】
前記繊維生布及び樹脂製布は視線を遮ることを目的としており、垂下性の良い布で構成したことを特徴とする請求項１または２に記載の介護用具。
【請求項４】
前記介護箇所に設けた空間部に消臭剤を設置及び散布又はいずれか片方を用いて消臭することを特徴とする請求項１〜３のいずれか１項に記載の介護用具。
【請求項５】
前記透明樹脂シートにより、明かりを採光すると共に介護箇所を目視しながら介護作業を行うことを特徴とする請求項１〜４のいずれか１項に記載の介護用具。
【請求項６】
前記枠体が折り畳み可能に構成されている事を特徴とする請求項１〜５のいずれか１項に記載の介護用具。
【考案の詳細な説明】
【技術分野】
【０００１】
本考案は、被介護者に用いる介護用具に関するものであり、周囲からの目視を遮るためと臭気の拡散を抑制する効果を有する用具に関する。
【背景技術】
【０００２】
加齢若しくは病気により寝たきりの状態で介護を必要とする被介護者のおむつなど下着を交換する場合、部屋の周囲を締め切るか或いはカーテンを吊して周囲からの目視を遮るようにして介護を行っている。他の目的は排泄物の臭気拡散を防止することである。
【０００３】
一般的には寝具の上掛けをめくるようにして介護者が被介護者の下方に位置し手作業で行うようにしている。しかし上掛けをめくることで下半身が直接外気に触れることになり、室温を高くしたとしても肌寒く感じるものであり、臭気も拡散することになる。一方、タオルなどを下半身の一部にかけて行うことも出来るが、被介護者の下着の着脱には邪魔になる。従って介護者の下半身を覆うものをかけて尚かつ介護作業を行うためには特別の仕様を有する覆い部材が求められる。
【０００４】
臭気拡散の防止策として透視可能な包囲体を備え、介護者の手が該包囲体の内部に挿入できる操作口とこれに繋がる手袋が装備され、包囲体内部の空気を排出するための排気手段を備えた提案がある（例えば、特許文献１参照）。同様な構成で排気手段を用いず消臭剤を散布するようにした用具が提案されている（例えば、特許文献２参照）。
また、折りたたみ可能な枠体を設けて、該枠体に空密繊維生地で構成されその一部に透視可能な樹脂シートを配設した包囲体を被せて被介護者の股間部の上に被せておむつなどの下着を交換するように成した臭気拡散防止器具が提案されている（例えば、特許文献３参照）。さらに、病床用便器とこれを覆う離被架（枠体）にカバーを被せ臭気をかこうと共にダクトを接続して臭気を外部に排出する病床用採便装置が提案されている（例えば、特許文献４参照）。これらの用具は臭気拡散防止のための構成全体を述べているものであり、空密に保つ包囲体若しくはカバー単体の構成は記載されていない。
【先行技術文献】
【特許文献】
【０００５】
【特許文献１】特開平５−２７７１５０号公報
【特許文献２】特開平７−１３２１３１号公報
【特許文献３】特許第４４６３７９４号公報
【特許文献４】実開平４−１２６５２５号公報
【考案の概要】
【考案が解決しようとする課題】
【０００６】
解決しようとする問題点は、被介護者のおむつなど下着を交換する際に被介護者を覆う部材が単に周囲からの目視を遮るだけであり、その他の機能性について考慮されておらず、下着交換作業を行う箇所の明るさが不足する点である。
【課題を解決するための手段】
【０００７】
本考案は、病床に伏している被介護者の排泄物の除去またはおしめなどの下着を交換する介護作業に用いる用具であって、
立体形状を有する枠体を介護箇所の上側に設置し、
前記枠体に被介護者を覆う覆い具として繊維生布及び樹脂製布またはいずれか片方を取着し介護箇所に空間部を設けると共に臭気の拡散を防止し、
前記覆い具の中央部に所定サイズの透明樹脂シートを配置するため、配置される部分に窓状空白部分を形成し、
該窓状空白部分に前記透明樹脂シートを挿置してその周縁部を接着、縫合またはファスナー等の接合手段により前記窓状空白部分の縁部に密着固定し、
前記枠体に取着した覆い具の上部及び側部またはいずれか片方に介護者の手と腕を挿入する挿入孔を設けたことを特徴としている。
【０００８】
前記繊維生布は織布、編成生布等が用いられ通気性の少ないものが好ましく起毛製品なども利用できる。また、樹脂製布は補強を目的とした繊維生布に樹脂をコーティングして積層構造と成した複合部材であり、通気性は無く臭気の拡散防止には好都合である。保温性を付与するために不織布を基布に用いても良い。
【０００９】
前記樹脂製布は密度の粗い布帛に補強用の糸を適宜間隔で挿入し、該布帛に溶融樹脂をロールコーティングして複合材と成し、前記枠体に吊り下げて介護箇所に空間部を設けている。通気性が無く軽量であり臭気拡散防止には好適である。洗浄も簡単であり清潔に保管することが出来る。
【００１０】
また、前記挿入孔に介護者の手及び腕を挿入する手袋及び腕袋を取着して汚物に直接手が触れることを防止している。該手袋及び腕袋は防水性であることが好ましく、挿入孔に対して面ファスナーを用いて着脱可能に構成すればよい。  
【００１１】
前記繊維生布及び樹脂製布は視線を遮ることを目的としており、垂下性の良い布で構成することが好ましく、いわゆるドレープ性を有することで被介護者の体型や敷き布団等の表面に密接しやすくしており、臭気拡散防止を助成する効果がある。
【００１２】
更に、前記介護箇所に設けた空間部に消臭剤を設置及び散布又はいずれか片方を用いて消臭するようにしている。消臭剤はトイレ消臭のための業務用、家庭用に市販されている消臭用具を利用している。
【００１３】
そして、前記透明樹脂シートにより、明かりを採光すると共に介護箇所を目視しながら介護作業を行うようにしており、周囲からの目視が届き難い位置に前記透明樹脂シートを配置している。介護箇所を目視するための透明樹脂シート部分を更に被介護者の上半身部方向へ延長して採光部分と成し、介護箇所への周囲の目視を防いでいる。
【００１４】
前記枠体を折り畳み可能に構成したので、持ち運びが容易であり、介護箇所で開脚して組み立てることが出来る。
【００１５】
本考案では図１又は図５（ｂ）図に示す覆い具を用いており広げた状態で示している。周囲の目視を遮蔽するために遮光性を有する繊維生布を用いており、介護者が位置する側には透視可能な樹脂フィルムを配置する。さらに被介護者の上半身側に採光用の樹脂フィルムを延長し配置して室内の照明光が入りやすくしたことを特徴としている。
【００１６】
前記繊維生布は臭気を完全に閉じ込める必要はなく、外気と通気しなければよい。具体的には毛布やネル等の起毛製品、或いは薄い綿状のシートを挟んで両面に生地を重ね合わせキルティングにより一体化したキルティング材も好適である。これらの生布は気密性はないがしなやかで保気性があり敷き布団などとの密着性が良く臭気をとどめる効果を有する。透視可能な樹脂シートとの結合部分は縫合若しくはファスナーを用いるのが好ましい。ファスナーには点、線及び面の各ファスナーがあるが面ファスナーが扱いやすい。
【００１７】
被介護者のおしめなど下着を着脱するためには、前記覆い具を被せたときに股間部上方に空間が必要であり、空間を作るためには枠体が必要である。枠体は折りたたみ方式、固定方式など適宜利用されるが、何れも立体形状であり敷き布団の上に安定した位置決めが出来ればよい。枠体の上面部には覆い具の透視可能な部分が位置するように配置されるが、覆い具の外部から介護者が手を差し入れるための孔が必要である。両手を差し込むため孔は少なくとも２箇所必要であり、さらに他人の手を借りることが必要である場合を含めるとさらに孔を設ける必要が生じる。孔は透明樹脂シート部分に設けられるが、手作業の状態が確認されれば事足りる場合は透明樹脂シートの幅を狭くして繊維生布部分または樹脂製布に孔を設けても良い。該孔は手を挿入したときに腕部分周囲との間には出来るだけ空間が生じない方が好ましく孔周辺にゴム質の薄い円環を装着しても良い。介護作業中に覆い部材の定着性が不充分な場合は枠体の上部位置に透明樹脂板を設置しこれに孔を設けても良い。
【考案の効果】
【００１８】
本考案の被介護者に対する覆い部材は、おしめ等の下着着脱を行う介護作業中に外部からの目視を遮蔽すると共に外気に直接肌が触れることが無く臭気の拡散も抑制される。介護作業が終了すれば、覆い具を軽く折りたたみ袋詰めして外部へ持ち出し竿などにかけて外気に曝し軽くたたいて臭気を放出させる。臭気の排出装置は不要である。
【図面の簡単な説明】
【００１９】
【図１】図１は被介護者に用いる覆い具を示す斜視図である。（実施例１）
【図２】図２（ａ）及び（ｂ）図は被介護者の下半身部を覆う枠体を示す斜視図である。（実施例２）
【図３】図３は被介護者に覆い具を被せた状態を示す介護用具の斜視図である。（実施例３）
【図４】図４は覆い具を用いて介護する状態を示す説明図である。（実施例３）
【図５】図５（ａ）図は覆い具の構成を示す斜視図であり、（ｂ）図は完成した覆い具の斜視図であり、（ｃ）図はフックの拡大図である。（実施例４）
【図６】図６（ａ）図は介護用具の他の例を示す斜視図であり、（ｂ）図は上面部の別の構成を示す説明図である。（実施例４）
【考案を実施するための形態】
【００２０】
被介護者の排泄物及びおしめなどの下着を交換するために、病床の上掛けを除くと共に枠体と該枠体に覆い具を被せて、下着交換の際に外部からの目視を遮ると共に、介護者は被介護者の下方に位置して、覆い具に設けた孔から手及び腕を挿入し、覆い具の一部に設けた透視可能な透明シートを通して下着交換部位を確認しながら交換作業を行う。覆い具は臭気の拡散を防止するが被介護者が直接外気に触れることなく寒さを感じることがない。覆い具の材質は柔軟性を有する繊維生布または樹脂製布を用いており、繊維生布には起毛繊維素材等も利用される。起毛繊維素材はその表面が空気を留める保気性を有することから臭気を留めるため外気との通気が防止されされやすい。下着交換後は内部に消臭剤を噴霧し、その後覆い部材を折りたたんで袋詰めし室外へ運び出す。覆い具は屋外で竿掛けし軽く叩いて臭気を除去するので臭気排出装置は不要である。
【実施例１】
【００２１】
図１は、本考案に用いる覆い具１を平面に広げた状態を示す斜視図である。素材は繊維生布２であり、好ましくは少なくとも片面に起毛された生布を用いる。寝具用の毛布が好適であり、ｍ２当たり４００ｇ〜２ｋｇの毛布が利用される。幅は１３０〜１５０ｃｍ、長さは１５０ｃｍ〜２ｍが必要でほぼ長方形である。四周はバイアステープ４を表裏を囲うようにして縫合する。バイアステープは片面が起毛されたものが好ましい。覆い具１の中央部には透明樹脂シート３を配置し、該透明樹脂シートは長方形であり厚みは０．５〜１ｍｍが好ましく市販の塩ビシートが好ましい。幅は大人の肩幅より広く６０〜７０ｃｍであり長さは１ｍ程度は必要である。前記透明樹脂シートは覆い具の繊維生布２の中央部を切り取り窓状空白部を形成しておき、長方形の窓状空白部に嵌合させるがその四周を縫合するか面ファスナー６を用いて密接させる。なお前記透明樹脂シート３は後述する枠体に被せたとき、該枠体の上面に載置されるが、枠体の上面に位置する３ａ部分、枠体の介護者が位置する側（３ｂ）と被介護者の頭部側（３ｃ）に及ぶように配置される。図中、破線で示す部分は枠体に被せたときに折れ曲がる位置を示している。頭部側に配置される透明樹脂シート部３ｃは採光のためであり、下着交換作業周辺の明るさを確保するためである。また、該透明樹脂シートには図示するように介護者の手と腕を挿入するための挿通孔５が設けられている。繊維生布２の素材として、ドレープ性の良いカーテン用生地、寝具用のシーツ生地なども利用できる。
【実施例２】
【００２２】
図２の（ａ）図及び（ｂ）図に本考案に用いる枠体６及び７を示す。素材は木質、金属質で特に限定されない。角材または管材が用いられる。枠体６の構成は上面部６ａと脚部６ｂから成り、該上面部と脚部の接続部にはヒンジ６ｃが設けられ脚部を折りたたむことが出来る。上面部６ａには厚み２〜３ｍｍの透明樹脂板６ｄが２箇所に配置され上面部６ａにボルトで固定される。また前記透明樹脂板には介護者の手と腕を挿入する挿入口６ｅが設けられている。特に図示していないが枠体の上面部６ａを管材で作成し、一部を嵌合させる構造として長さを可変可能にすることが出来る。被介護者の体格に応じて枠体の幅を変更できるので好都合である。
【００２３】
図２（ｂ）図は軽量で簡便な構成でありアルミニウム合金製で一体型の枠体７を示す。上面部７ａには透明樹脂板７ｂが固定され、挿通孔７ｃが２箇所に設けられる。ベッド上で用いるには好適である。側面斜め上方向から手を挿入する場合には覆い部材１を被せた場合の該当位置に挿入口を設ければよい。本実施例では側面斜め上方向に湾曲した透明樹脂板７ｄを別途設けることが可能で、挿入孔も設けることが出来る。
【実施例３】
【００２４】
図３は、被介護者８に枠体６と覆い具１を被せた状態を示す立体形状を有する介護用具２０の斜視図である。立方体状の枠体６に平坦な覆い具を被せると四隅には繊維生布２部分に余剰部分が生じるから折り返し部９を適宜設けて枠体内の空密性を保つようにする。被介護者の体格差にも順応できる。上記したように覆い具を構成する繊維生布２は起毛された寝具用毛布であり、ドレープ性と柔軟性があるので前記折り返し部には空気の疎通は生じない。従って被介護者の胸部及び脚部は外部から軽く手で押さえるだけで空密にすることが可能であり、特に被介護者の脚部の位置を自由に変更できる利点がある。バイアステープ４は種々の物性を有する製品が市販されているが、方向性のない柔軟な材質が好ましく特に起毛された製品は敷き布団などと接触しやすい構造である。図４は介護者１０が介護作業を行っている様子を示すイメージ図である。
【実施例４】
【００２５】
図５（ａ）図は樹脂製布を用いた覆い具１ａを示す斜視図である。本考案の樹脂製布は糸密度の粗い布帛に補強糸を適宜間隔にて挿入した生布を用いて溶融樹脂をロールコーティングした複合材である。補強糸は格子状に配置されており、該複合材の厚みは０．１〜０．３ｍｍが好ましい。前記溶融樹脂としては塩化ビニール、ポリエステル、アクリル、ナイロンなどが用いられ、着色することで透視を防止できる。複合される生布としてはレース地等も利用できる。樹脂製布１１は、１枚で構成しても良いが、４枚に分割しており、それぞれを１１ａ、１１ｂ、１１ｃ及び１１ｄとして構成し、付き合わせ部分１１ｅは重ね合わせて接着し、窓状空白部１２を形成する。同（ｂ）図に示すように該窓状空白部には接着しろが設定されており、実施例１と同様に透明樹脂シート３を装着し、四周を樹脂製布１１に重ねて接着する。透明樹脂シート３には介護者の手と腕を挿入する挿通孔５が設けられている。透明樹脂シート３は破線で示す部分で折り曲げられるので、枠体に取着される部分を上面部として３ａ、介護者側を３ｂ、被介護者頭部側に位置する採光部を３ｃとして示す。透明樹脂シート３ａの周縁部にはフック１３が複数箇所に取着されている。取着構造は接着、面ファスナーが利用されるが、嵌合構造にしても良い。フックの形状を拡大して（ｃ）図に示す。フックは枠体の上部面の部材に掛けられる。完成した覆い具１ｂを図５（ｂ）図に示す。
【００２６】
図６（ａ）図は枠体６の上部面の部材に覆い具１ｂを吊り下げた状態を示している。図２（ａ）図に示す枠体６を用いており、フック１３を架ける枠材１４を追加し、透明樹脂板６ｄは除去している。準備作業手順は、被介護者の上に覆い具１ｂを被せた後、枠体６を載置する。脚部６ｂは覆い具１ｂの一部を押さえるようになるが、予め被介護者の側面に余剰の覆い具を溜めておく事が好ましい。次いでフック１３を枠体上面部に架けて、被介護者の介護箇所に空間を生じさせるようにする。その後覆い具の余剰部分を引き延ばすように外側へ引き出すことで介護用具２０ａの準備作業が終了する。他の準備作業手順としては、枠体６にフック１３を引っかけて覆い具を吊り下げた後、被介護者の上に被せて覆い具の周辺部を引き出すようにしても良い。
【００２７】
図６（ｂ）図は透明樹脂シート３の上面部３ａの別構成の説明図であり、挿通孔５に、手袋１５と一体に構成された蛇腹部分を含む腕袋１６を取着した状態を示す。着脱を容易にするために該腕袋の上端部に円環状の面ファスナー１７を装備している。介護者は挿通孔に手を入れるときに手と腕を清潔に保護すると共に汚物の付着を防ぐようにしている。
【産業上の利用可能性】
【００２８】
本考案は、簡単な立体形状を有する枠体を被介護人の上側に設置し覆い具１を被せることで、排泄物やおむつ交換など臭気を伴う介護作業中の臭気を拡散させず、覆い具に起毛繊維素材、ドレープ性の良いカーテン生地、補強繊維を含む樹脂コーティング複合材を用いたので介護作業終了時点で覆い具を素早くたたむことで臭気が留められる。起毛素材はその表面に気体を留める性質を有しているので好都合である。特段の臭気排出装置を用いておらず簡素な介護用具である。介護作業終了時に覆い具内部に消臭剤を散布すればさらに臭気の拡散が防止される。
【符号の説明】
【００２９】
１    覆い具
２    繊維生布
３    透明樹脂シート
４    バイアステープ
５    挿入孔
６、７  枠体
８    被介護者
９    折り返し部
１０  介護者
１１  樹脂製布
２０、２０ａ  介護用具
【図１】
0003177089.tif 000003
【図２】
0003177089.tif 000004
【図３】
0003177089.tif 000005
【図４】
0003177089.tif 000006
【図５】
0003177089.tif 000007
【図６】
0003177089.tif 000008